(57)【要約】【課題】第１，第２レーザ光源から射出した第１，第２レーザビームの各光量を安定にモニタする。【解決手段】第１レーザビームＬ１を選択的に射出する第１レーザ光源１１と、第１レーザビームＬ１よりも射出パワーが大きく且つ第１レーザビームＬ１よりも長波長の第２レーザビームＬ２を選択的に射出する第２レーザ光源２１と、第１，第２レーザビームＬ１，Ｌ２の各光量をモニタするフロントモニタ用光検出器３１と、フロントモニタ用光検出器３１のレーザビーム入射側に複数の光学部材３１ａ，４１〜４３を用いて設置され、複数の光学部材３１ａ，４１〜４３によりフロントモニタ用光検出器３１に入射する第１，第２レーザビームＬ１，Ｌ２の光量差を光学的に調整するレーザビーム光量調整手段４０Ａと、を備えたことを特徴とする光ピックアップ装置ＰＵ１を提供する。【選択図】図１
2010182381.tif 000002
【特許請求の範囲】
【請求項１】
第１光記録媒体に対応して第１レーザビームを射出する第１レーザ光源と、
前記第１光記録媒体よりも基板厚さが厚い第２光記録媒体に対応して前記第１レーザビームよりも射出パワーが大きく且つ前記第１レーザビームよりも長波長の第２レーザビームを射出する第２レーザ光源と、
前記第１，第２レーザ光源から選択的に射出された前記第１，第２レーザビームを入射して該第１，第２レーザビームの各光量をモニタするフロントモニタ用光検出器と、
前記フロントモニタ用光検出器のレーザビーム入射側に複数の光学部材を用いて設置され、前記複数の光学部材により前記フロントモニタ用光検出器に入射する前記第１，第２レーザビームの光量差を光学的に調整するレーザビーム光量調整手段と、
を備えることを特徴とする光ピックアップ装置。
【請求項２】
前記フロントモニタ用光検出器の出力側にアンプを接続して、前記レーザビーム光量調整手段内の前記複数の光学部材により前記第１，第２レーザビームの光量差が前記第１，第２レーザビームに対する前記アンプの略ゲイン差になるように光学的に調整することを特徴とする請求項１記載の光ピックアップ装置。
【請求項３】
前記レーザビーム光量調整手段に用いた前記複数の光学部材のうち、前記フロントモニタ用光検出器のレーザビーム入射側に設置した少なくとも一つの光学部材に対する前記第１レーザビームの入射角を第１入射角、前記第２レーザビームの入射角を第２入射角とするとき、前記第２入射角を前記第１入射角よりも大きくすることを特徴とする請求項１又は請求項２記載の光ピックアップ装置。
【請求項４】
前記レーザビーム光量調整手段に用いた前記複数の光学部材のうち、少なくとも一つの光学部材が前記フロントモニタ用光検出器のレーザビーム入射側に密着していることを特徴とする請求項３記載の光ピックアップ装置。
【請求項５】
前記第１レーザビームは前記フロントモニタ用光検出器にＰ偏光光で入射され、一方、前記第２レーザビームは前記フロントモニタ用光検出器にＳ偏光光で入射されることを特徴とする請求項３又は請求項４記載の光ピックアップ装置。
【請求項６】
前記第１レーザビーム及び第２レーザビームを集光する少なくとも１つの対物レンズを備え、
前記レーザビーム光量調整手段に用いた前記複数の光学部材は、
前記フロントモニタ用光検出器のレーザビーム入射側に密着して取り付けた封止用透明光学部材と、
前記第１レーザ光源から射出された前記第１レーザビームの一部を前記対物レンズ側に反射させると共に、前記第１レーザビームの残りの一部を透過させる第１半透過／反射ミラーと、
前記第１半透過／反射ミラーを透過した前記第１レーザビームの一部を全反射して前記フロントモニタ用光検出器の前記封止用透明光学部材に前記第１入射角で入射させる全反射ミラーと、
前記第２レーザ光源から射出された前記第２レーザビームの一部を前記対物レンズ側に反射させると共に、前記第２レーザビームの残りの一部を透過して前記フロントモニタ用光検出器の前記封止用透明光学部材に前記第１入射角よりも大きな前記第２入射角で入射させる第２半透過／反射ミラーと、
を含むことを特徴とする請求項１又は請求項２もしくは請求項４記載の光ピックアップ装置。
【請求項７】
前記第１レーザビーム及び第２レーザビームを集光する少なくとも１つの対物レンズを備え、
前記レーザビーム光量調整手段に用いた前記複数の光学部材は、
前記第１レーザ光源から射出された前記第１レーザビームの一部を前記対物レンズ側に反射させると共に、前記第１レーザビームの残りの一部を透過させる第１半透過／反射ミラーと、
前記第１半透過／反射ミラーを透過した前記第１レーザビームの一部を全反射させる全反射ミラーと、
前記第２レーザ光源から射出された前記第２レーザビームの一部を前記対物レンズ側に反射させると共に、前記第２レーザビームの残りの一部を透過させる第２半透過／反射ミラーと、
前記全反射ミラーで全反射した前記第１レーザビームの一部を第１入射角で入射した後に射出して前記フロントモニタ用光検出器に入射させると共に、前記第２半透過／反射ミラーを透過した前記第２レーザビームの一部を前第１入射角よりも大きな第２入射角で入射した後に射出して前記フロントモニタ用光検出器に入射させるガラス板と、
を含むことを特徴とする請求項１又は請求項２記載の光ピックアップ装置。
【発明の詳細な説明】
【技術分野】
【０００１】
本発明は、規格の異なった複数の光記録媒体に対して、情報信号の記録や再生を可能にする光ピックアップ装置に関するものである。
【背景技術】
【０００２】
一般的に、音声信号，映像信号，データ信号などの各種の情報信号を高密度に記録又は再生できる光記録媒体（光ディスク）として、周知のＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの他に、最近では、より一層高密度化を図ったＢＤ（Ｂｌｕ−ｒａｙ  Ｄｉｓｃ）と呼称される高密度光記録媒体が市販されている。
【０００３】
上記したＣＤは、レーザビーム入射面から情報記録面までの基板厚さが１．２ｍｍ程度であり、波長が７８０ｎｍ前後のレーザビームを開口数（ＮＡ）が０．４５〜０．５程度の対物レンズにより情報記録面にスポット状に照射することで、情報信号の記録又は再生が可能になっている。
【０００４】
また、上記したＤＶＤは、レーザビーム入射面から情報記録面までの基板厚さが０．６ｍｍ程度であり、波長が６５０ｎｍ前後のレーザビームを開口数（ＮＡ）が０．６〜０．６５程度の対物レンズにより情報記録面にスポット状に照射することで、情報信号の記録又は再生が可能になっている。この際、ＤＶＤの記録容量はＣＤよりも６〜８倍程度高めてディスク基板の直径が１２ｃｍの時に片面で４．７ＧＢ（ギガバイト）程度である。
【０００５】
また、上記したＢＤは、レーザビーム入射面から情報記録面までの基板厚さが０．１ｍｍ程度であり、波長が４０５ｎｍ前後のレーザビームを開口数（ＮＡ）が０．８５程度の対物レンズにより情報記録面にスポット状に照射することで、情報信号の記録又は再生が可能になっている。この際、ＢＤの記録容量はＤＶＤよりも５倍程度高めてディスク基板の直径が１２ｃｍの時に片面で２５ＧＢ（ギガバイト）程度である。
【０００６】
そして、ＣＤやＤＶＤとか、ＢＤを記録又は再生するための光ディスク装置は、光ディスクを保持して回転・駆動する駆動機構と、光ディスクの半径方向に移動可能に設けられてレーザビームを光ディスクの情報記録面にスポット状に照射する光ピックアップ装置と、光ピックアップ装置によってデータを記録したり、又は、記録済みのデータを再生する信号処理手段などを内部に備えている。
【０００７】
ところで、ＢＤを記録又は再生するＢＤ用光学ブロックと、ＤＶＤ／ＣＤを記録又は再生するＤＶＤ／ＣＤ光学ブロックとからなる２系統の光学ブロックを備えた光ピックアップ装置がある（例えば、特許文献１参照）。
【０００８】
上記した特許文献１に開示された光ピックアップ装置では、ここでの図示を省略するものの、ＢＤ用光学ブロックは、ＢＤ用レーザダイオードと、コリメータレンズと、ビーム整形プリズム兼ＰＢＳと、ＢＤ用フロントモニタ・フォトディテクタと、球面収差補正素子と、ＢＤ用立ち上げミラーと、偏光ホログラム複合素子と、ＢＤ用高ＮＡ対物レンズと、集束レンズと、凹レンズと、ホログラム素子と、ＢＤ用光検出器とで構成されている。
【０００９】
一方、ＤＶＤ／ＣＤ光学ブロックは、ＤＶＤ用レーザダイオードと、回折格子と、ＣＤ用レーザダイオードと、カップリングレンズと、回折格子と、ダイクロイックプリズムと、ＤＶＤ／ＣＤ用偏光ビームスプリッタと、コリメータレンズと、ＤＶＤ／ＣＤ用フロント・フォトディテクタと、ＤＶＤ／ＣＤ用立ち上げミラーと、１／４波長板と、波長選択型開口フィルタと、ＤＶＤ／ＣＤ用対物レンズと、アナモフィクレンズと、ＤＶＤ／ＣＤ用光検出器とで構成されている。
【００１０】
この特許文献１では、ＢＤ用レーザダイオードから出力された波長が４０５ｎｍの青色レーザビームの出力が、ＤＶＤ用レーザダイオードから出力された波長が６５０ｎｍの赤色レーザビーム又はＣＤ用レーザダイオードから出力された波長が７８０ｎｍの赤外レーザビームの出力に比べて弱いものの、青色レーザビームの光量をモニタしてＢＤ用レーザダイオードの出力を制御するためのＢＤ用フロントモニタ・フォトディテクタと、赤色レーザビーム又は赤外レーザビームの光量をモニタしてＤＶＤ用レーザダイオード又はＣＤ用レーザダイオードの出力を制御するためのＤＶＤ／ＣＤ用フロントモニタ・フォトディテクタとの二つのフロントモニタ・フォトディテクタとを備えている。
【００１１】
上記に対して、ＤＶＤとＣＤとを記録又は再生する際に、ＤＶＤ用レーザ光源から射出された赤色レーザビームと、ＣＤ用レーザ光源から射出された赤外レーザビームとに対して一つのフロントモニタ用光検出器を共用して各光量をモニタする光ピックアップがある（例えば、特許文献２参照）。
【００１２】
上記した特許文献２に開示された光ピックアップの実施形態では、ここでの図示を省略するものの、第１の光源となるＤＶＤ用レーザ光源に対してフロントモニタ用光検出器のフロントモニタ感度の調整をアンプのゲインの選定により行なう一方、第２の光源となるＣＤ用レーザ光源のフロントモニタ感度の設定についてはＣＤ用レーザ光源とフロントモニタ用光検出器との間の光路上に移動可能な遮光板を配置し、この遮光板を光路上に移動させてＣＤ用光源からの光量を減衰している。
【００１３】
また、上記した特許文献２に開示された光ピックアップの別の実施形態では、ここでの図示を省略するものの、アンプゲイン調整用の可変抵抗を省くために、ＤＶＤ用レーザ光源及びＣＤ用レーザ光源から射出された各レーザビームに対してフロントモニタ用光検出器へのそれぞれの光量を、各光路を横切る方向に移動自在な各遮光板によって個別に調整することによって、フロントモニタ感度の設定をそれぞれ行なっている。
【先行技術文献】
【特許文献】
【００１４】
【特許文献１】特開２００４−２９５９８３号公報
【特許文献２】特開２００３−２１７１６０号公報
【発明の概要】
【発明が解決しようとする課題】
【００１５】
ところで、特許文献１に開示された光ピックアップ装置では、ＢＤ用光学ブロックと、ＤＶＤ／ＣＤ光学ブロックとを備えることで、ＢＤは勿論、ＤＶＤ及び／又はＣＤに対応できるが、ＢＤ用レーザダイオード及びＤＶＤ用レーザダイオード／ＣＤ用レーザダイオードをモニタするためにＢＤ用フロント・フォトディテクタ及びＤＶＤ／ＣＤ用フロント・フォトディテクタを二つ必要とするためにコストアップになり、これを解決するために特許文献２の技術的思想をそのまま適用して一つのフロントモニタ用光検出器を共用する場合に、下記するように新たな問題が生じてしまう。
【００１６】
即ち、特許文献２に開示された光ピックアップの実施形態を適用した場合には、第１の光源となるＤＶＤ用レーザ光源に対してフロントモニタ感度を調整する際にアンプゲインの選定しなければならないために調整工数が必要となる一方、第２の光源となるＣＤ用レーザ光源に対してフロントモニタ感度を調整する際に遮光板を光路上に移動させねばならないために遮光板移動機構が必要となり、光ピックアップの構造が複雑になるという問題が生じる。
【００１７】
また、特許文献２に開示された光ピックアップの別の実施形態を適用した場合には、ＤＶＤ用レーザ光源のフロントモニタ感度調整に対してアンプゲインの選定がなくなるが、ＤＶＤ用レーザ光源及びＣＤ用レーザ光源に対してフロントモニタ感度を設定する際に各光路を横切る方向に移動自在な各遮光板によって個別に調整しているので各遮光板移動機構が必要となり、光ピックアップの構造が更に複雑になるという問題が生じる。
【００１８】
そこで、第１レーザビームを射出する第１レーザ光源と、第１レーザビームよりも長波長で且つ第１レーザビームよりも射出パワーが大きい第２レーザビームを射出する第２レーザ光源とを用いて規格の異なった複数の光記録媒体に光情報の記録や再生を行うにあたって、第１，第２レーザ光源から射出した第１，第２レーザビームの各光量をモニタするためのフロントモニタ用光検出器を共用して設置した際に、このフロントモニタ用光検出器の出力に対してアンプゲイン調整の回路の簡素化を可能にすると共に、第１，第２レーザ光源から射出した第１，第２レーザビームの各光量を安定にモニタでき、且つ、フロントモニタ用光検出器に入射する第１，第２レーザビームの光量差を確実に調整できる光ピックアップ装置を提供することを目的とする。
【課題を解決するための手段】
【００１９】
本発明は上記課題に鑑みてなされたものであり、第１の発明は、第１光記録媒体に対応して第１レーザビームを射出する第１レーザ光源と、
前記第１光記録媒体よりも基板厚さが厚い第２光記録媒体に対応して前記第１レーザビームよりも射出パワーが大きく且つ前記第１レーザビームよりも長波長の第２レーザビームを射出する第２レーザ光源と、
前記第１，第２レーザ光源から選択的に射出された前記第１，第２レーザビームを入射して該第１，第２レーザビームの各光量をモニタするフロントモニタ用光検出器と、
前記フロントモニタ用光検出器のレーザビーム入射側に複数の光学部材を用いて設置され、前記複数の光学部材により前記フロントモニタ用光検出器に入射する前記第１，第２レーザビームの光量差を光学的に調整するレーザビーム光量調整手段と、
を備えることを特徴とする光ピックアップ装置である。
【００２０】
また、第２の発明は、上記した第１の発明の光ピックアップ装置において、
前記フロントモニタ用光検出器の出力側にアンプを接続して、前記レーザビーム光量調整手段内の前記複数の光学部材により前記第１，第２レーザビームの光量差が前記第１，第２レーザビームに対する前記アンプの略ゲイン差になるように光学的に調整することを特徴とする光ピックアップ装置である。
【００２１】
また、第３の発明は、上記した第１又は第２の発明の光ピックアップ装置において、
前記レーザビーム光量調整手段に用いた前記複数の光学部材のうち、前記フロントモニタ用光検出器のレーザビーム入射側に設置した少なくとも一つの光学部材に対する前記第１レーザビームの入射角を第１入射角、前記第２レーザビームの入射角を第２入射角とするとき、前記第２入射角を前記第１入射角よりも大きくすることを特徴とする光ピックアップ装置である。
【００２２】
また、第４の発明は、上記した第３の発明の光ピックアップ装置において、
前記レーザビーム光量調整手段に用いた前記複数の光学部材のうち、少なくとも一つの光学部材が前記フロントモニタ用光検出器のレーザビーム入射側に密着していることを特徴とする光ピックアップ装置である。
【００２３】
また、第５の発明は、上記した第３又は第４の発明の光ピックアップ装置において、
前記第１レーザビームは前記フロントモニタ用光検出器にＰ偏光光で入射され、一方、前記第２レーザビームは前記フロントモニタ用光検出器にＳ偏光光で入射されることを特徴とする光ピックアップ装置である。
【００２４】
また、第６の発明は、上記した第１又は第２の発明もしくは第４の発明の光ピックアップ装置において、
前記第１レーザビーム及び第２レーザビームを集光する少なくとも１つの対物レンズを備え、
前記レーザビーム光量調整手段に用いた前記複数の光学部材は、
前記フロントモニタ用光検出器のレーザビーム入射側に密着して取り付けた封止用透明光学部材と、
前記第１レーザ光源から射出された前記第１レーザビームの一部を前記対物レンズ側に反射させると共に、前記第１レーザビームの残りの一部を透過させる第１半透過／反射ミラーと、
前記第１半透過／反射ミラーを透過した前記第１レーザビームの一部を全反射して前記フロントモニタ用光検出器の前記封止用透明光学部材に前記第１入射角で入射させる全反射ミラーと、
前記第２レーザ光源から射出された前記第２レーザビームの一部を前記対物レンズ側に反射させると共に、前記第２レーザビームの残りの一部を透過して前記フロントモニタ用光検出器の前記封止用透明光学部材に前記第１入射角よりも大きな前記第２入射角で入射させる第２半透過／反射ミラーと、
を含むことを特徴とする光ピックアップ装置である。
【００２５】
更に、第７の発明は、上記した第１又は第２の発明の光ピックアップ装置において、
前記第１レーザビーム及び第２レーザビームを集光する少なくとも１つの対物レンズを備え、
前記レーザビーム光量調整手段に用いた前記複数の光学部材は、
前記第１レーザ光源から射出された前記第１レーザビームの一部を前記対物レンズ側に反射させると共に、前記第１レーザビームの残りの一部を透過させる第１半透過／反射ミラーと、
前記第１半透過／反射ミラーを透過した前記第１レーザビームの一部を全反射させる全反射ミラーと、
前記第２レーザ光源から射出された前記第２レーザビームの一部を前記対物レンズ側に反射させると共に、前記第２レーザビームの残りの一部を透過させる第２半透過／反射ミラーと、
前記全反射ミラーで全反射した前記第１レーザビームの一部を第１入射角で入射した後に射出して前記フロントモニタ用光検出器に入射させると共に、前記第２半透過／反射ミラーを透過した前記第２レーザビームの一部を前第１入射角よりも大きな第２入射角で入射した後に射出して前記フロントモニタ用光検出器に入射させるガラス板と、
を含むことを特徴とする光ピックアップ装置である。
【発明の効果】
【００２６】
本発明に係る光ピックアップ装置によると、第１レーザビームを射出する第１レーザ光源と、第１レーザビームよりも長波長で且つ第１レーザビームよりも射出パワーが大きい第２レーザビームを射出する第２レーザ光源とを用いて規格の異なった複数の光記録媒体に光情報の記録や再生を行うにあたって、第１，第２レーザ光源から射出した第１，第２レーザビームの各光量をモニタするためのフロントモニタ用光検出器を共用して設置した際に、とくに、フロントモニタ用光検出器のレーザビーム入射側に複数の光学部材を用いて設置され、複数の光学部材によりフロントモニタ用光検出器に入射する第１，第２レーザビームの光量差を光学的に調整するレーザビーム光量調整手段を備えているために、第１，第２レーザ光源から射出した第１，第２レーザビームの各光量をフロントモニタ用光検出器で安定にモニタできる他に、フロントモニタ用光検出器に入射する第１，第２レーザビームの光量差を確実に調整でき、更に、第１レーザ光源と第２レーザ光源とを切り替えるための制御が不要になるために、光ピックアップ装置の制御端子数を低減することができる。
【００２７】
また、フロントモニタ用光検出器の入射側にレーザビーム光量調整手段を設置し、且つ、フロントモニタ用光検出器の出力側にアンプを接続して、レーザビーム光量調整手段内の複数の光学部材により第１，第２レーザビームの光量差が第１，第２レーザビームに対するアンプの略ゲイン差になるように光学的に調整しているために、フロントモニタ感度調整用のアンプのゲイン調整に帰還抵抗として固定抵抗を用いることができるので、ゲイン調整回路を簡略化することができると共に、アンプを安定に動作させることができる。
【００２８】
更に、レーザビーム光量調整手段に用いた複数の光学部材のうち、フロントモニタ用光検出器のレーザビーム入射側に設置した少なくとも一つの光学部材に対する第１レーザビームの入射角を第１入射角、第２レーザビームの入射角を第２入射角とするとき、第２入射角を第１入射角よりも大きくすることにより、フロントモニタ用光検出器に入射する第１，第２レーザビームの光量差を確実に調整できる。
【図面の簡単な説明】
【００２９】
【図１】本発明に係る実施例１の光ピックアップ装置の全体構成を摸式的に示した図であり、（ａ）は左側面図，（ｂ）は平面図，（ｃ）はＢＤ用の光学系の正面図，（ｄ）はＤＶＤ用の光学系の正面図である。
【図２】図１に示したフロントモニタ用光検出器に対するレーザビーム光量調整手段を拡大して示した図である。
【図３】本発明に係る実施例１の光ピックアップ装置において、フロントモニタ用光検出器の封止用透明光学部材に入射する青色レーザビーム，赤色レーザビームの入射角と光透過率の関係を示した図である。
【図４】本発明に係る実施例２の光ピックアップ装置の全体構成を摸式的に示した図であり、（ａ）は左側面図，（ｂ）は平面図，（ｃ）はＢＤ用の光学系の正面図，（ｄ）はＤＶＤ用の光学系の正面図である。
【図５】図４に示したフロントモニタ用光検出器に対するレーザビーム光量調整手段を拡大して示した図である。
【図６】本発明に係る実施例２の光ピックアップ装置において、ガラス板に入射する青色レーザビーム，赤色レーザビームの入射角と光透過率の関係を示した図である。
【発明を実施するための形態】
【００３０】
以下に本発明に係る光ピックアップ装置の一実施例について図１〜図６を参照して、実施例１，実施例２の順に詳細に説明する。
【実施例１】
【００３１】
図１は本発明に係る実施例１の光ピックアップ装置の全体構成を摸式的に示した図であり、（ａ）は左側面図，（ｂ）は平面図，（ｃ）はＢＤ用の光学系の正面図，（ｄ）はＤＶＤ用の光学系の正面図である。また、図２は図１に示したフロントモニタ用光検出器に対するレーザビーム光量調整手段を拡大して示した図である。更に、図３は本発明に係る実施例１の光ピックアップ装置において、フロントモニタ用光検出器の封止用透明光学部材に入射する青色レーザビーム，赤色レーザビームの入射角と光透過率の関係を示した図である。
【００３２】
図１（ａ）〜（ｄ）に示した如く、本発明に係る実施例１の光ピックアップ装置ＰＵ１では、第１レーザ光源１１から短波長の第１レーザビームＬ１を選択的に射出させて、この第１レーザビームＬ１を高い開口数（ＮＡ）を有する第１対物レンズ１６により基板厚さが薄い第１光記録媒体１上にスポット状に集光させ、一方、第２レーザ光源２１から第１レーザビームＬ１よりも長波長で且つ第１レーザビームよりも射出パワーが大きい第２レーザビームＬ２を選択的に射出させて、この第２レーザビームＬ２を第１対物レンズ１６によりも低い開口数（ＮＡ）を有する第２対物レンズ２６により第１光記録媒体１よりも基板厚さが厚い第２光記録媒体２上にスポット状に集光させるにあたって、第１，第２レーザ光源１１，２１と第１，第２対物レンズ１６，２６との間に第１，第２レーザビームＬ１，Ｌ２の各光量をモニタするためのフロントモニタ用光検出器３１を第１，第２レーザビームＬ１，Ｌ２に対して共用して設置した際に、フロントモニタ用光検出器３１に入射する第１，第２レーザビームＬ１，Ｌ２の光量差を光学的に調整するためのレーザビーム光量調整手段４０Ａをフロントモニタ用光検出器３１のレーザビーム入射側に複数の光学部材３１ａ，４１〜４３又は複数の光学部材４１〜４３を用いて設置したことを特徴としている。
【００３３】
この際、第１光記録媒体（以下、ＢＤと記す）１として例えばレーザビーム入射面から情報記録面までの基板厚さが０．１ｍｍ程度に形成されたＢＤ（Ｂｌｕ−ｒａｙ  Ｄｉｓｃ）を適用した場合に、第１レーザ光源（以下、ＢＤ用レーザ光源と記す）１１は短波長で波長が４０５ｎｍ前後の第１レーザビーム（以下、青色レーザビームと記す）Ｌ１を射出しており、且つ、ＢＤ用レーザ光源１１はここから射出した青色レーザビームＬ１がＰ偏光光となるような向きに取り付けられて、フロントモニタ用光検出器３１に青色レーザビームＬ１がＰ偏光光で入射されるようになっている。
【００３４】
一方、第２光記録媒体（以下、ＤＶＤと記す）２として例えばレーザビーム入射面から情報記録面までの基板厚さが０．６ｍｍ程度に形成されたＤＶＤ（Ｄｉｇｉｔａｌ  Ｖｅｒｓａｔｉｌｅ  Ｄｉｓｃ）を適用した場合に、第２レーザ光源（以下、ＤＶＤ用レーザ光源と記す）２１は青色レーザビームＬ１よりも射出パワーが大きく且つ青色レーザビームＬ１よりも長波長で波長が６５０ｎｍ前後の第２レーザビーム（以下、赤色レーザビームと記す）Ｌ２を射出しており、且つ、ＤＶＤ用レーザ光源２１はここから射出した赤色レーザビームＬ２がＳ偏光光となるような向きに取り付けられて、フロントモニタ用光検出器３１に赤色レーザビームＬ２がＳ偏光光で入射されるようになっている。
【００３５】
上記したＰ偏光光及びＳ偏光光は、直線偏光の偏波面と、それが入射するフロントモニタ用光検出器３１の入射面３１ａ１（図２のみ図示）との相対関係で決まり、Ｐ偏光光は入射面３１ａ１に対して垂直な偏光方向、Ｓ偏光光は入射面３１ａ１に対して水平な偏光方向からそれぞれ入射されることとなる。
【００３６】
ここで、実施例１の光ピックアップ装置ＰＵ１についてより具体的に説明する。
【００３７】
まず、ＢＤ１に対して記録又は再生する場合に、ＢＤ用レーザ光源１１からＰ偏光光の青色レーザビームＬ１を射出させると、往路の青色レーザビームＬ１は第１偏光ビームスプリッタ１２の偏光選択性半透過／反射誘電体多層膜１２ａを透過して後述するレーザビーム光量調整手段４０Ａの一部を構成する第１半透過／反射ミラー４１に入射し、この第１半透過／反射ミラー４１で往路の青色レーザビームＬ１の略９０％程度大部分が対物レンズ１６側に反射された後に第１コリメータレンズ１３に入射する一方、残りの略１０％程度の一部の青色レーザビームＬ１は第１半透過／反射ミラー４１を透過した後に全反射ミラー４２で反射されて後述するようにＰ偏光光の状態でフロントモニタ用光検出器３１に入射される。
【００３８】
そして、第１コリメータレンズ１３で略平行光に変換された往路の青色レーザビームＬ１は立ち上げミラー１４で９０°反射されて光路を上方に向かって折り曲げられた後に１／４波長板１５に入射し、この１／４波長板１５によって直線偏光光から円偏光光に変換される。
【００３９】
この後、１／４波長板１５を通過した往路の青色レーザビームＬ１は、開口数（ＮＡ）が０．８５程度と高く第１対物レンズとなる高ＮＡ対物レンズ１６によりＢＤ１の情報記録層上にスポット状に集光される。
【００４０】
一方、ビーム集光後にＢＤ１の情報記録層で反射された復路の青色レーザビームＬ１は、往路と反対回りの円偏光光となって高ＮＡ対物レンズ１６に再入射し、この高ＮＡ対物レンズ１６により略平行光となり、１／４波長板１５を通過して往路とは偏光方向が直交した直線偏光光となる。
【００４１】
この後、復路の青色レーザビームＬ１は、立ち上げミラー１４で９０°光線方向を転じ、第１コリメータレンズ１３を通過して，第１半透過／反射ミラー４１で反射されて第１偏光ビームスプリッタ１２の偏光選択性半透過／反射誘電体多層膜１２ａで反射されて第１光検出器１７上に受光される。そして、第１光検出器１７でＢＤ１の情報記録層を再生した時にトラッキングエラー信号，フォーカスエラー信号，メインデータ信号を検出している。
【００４２】
次に、ＤＶＤ２に対して記録又は再生する場合に、ＤＶＤ用レーザ光源２１からＳ偏光光の赤色レーザビームＬ２を射出させると、往路の赤色レーザビームＬ２は第２偏光ビームスプリッタ２２の偏光選択性半透過／反射誘電体多層膜２２ａで反射された後に、第２コリメータレンズ２３に入射され、ここで略平行光に変換される。
【００４３】
この後、第２コリメータレンズ２３を通過した往路の赤色レーザビームＬ２は、後述するレーザビーム光量調整手段４０Ａの一部を構成する第２半透過／反射ミラー４３に入射し、この第２半透過／反射ミラー４３で往路の赤色レーザビームＬ２の略９０％程度の大部分が対物レンズ２６側に反射された後に立ち上げミラー１４に入射する一方、残りの略１０％程度の一部の赤色レーザビームＬ２は第２半透過／反射ミラー４３を透過した後に後述するようにＳ偏光光の状態でフロントモニタ用光検出器３１に入射する。
【００４４】
そして、往路の赤色レーザビームＬ２は立ち上げミラー１４で９０°反射されて光路を上方に向かって折り曲げられた後に１／４波長板２５に入射され、この１／４波長板２５によって直線偏光光から円偏光光に変換される。
【００４５】
この後、１／４波長板２５を通過した往路の赤色レーザビームＬ２は、開口数（ＮＡ）が０．６５程度に低く第２対物レンズとなる低ＮＡ対物レンズ２６によりＤＶＤ２の情報記録層上にスポット状に集光される。
【００４６】
そして、ビーム集光後にＤＶＤ２の情報記録層で反射された復路の赤色レーザビームＬ２は、往路と反対回りの円偏光光となって低ＮＡ対物レンズ２６に再入射し、この低ＮＡ対物レンズ２６により略平行光となり、１／４波長板２５を通過して往路とは偏光方向が直交した直線偏光光となる。
【００４７】
この後、復路の赤色レーザビームＬ２は、立ち上げミラー１４で９０°光線方向を転じ、第２半透過／反射ミラー４３で反射され，第２コリメータレンズ２３を通過して第２偏光ビームスプリッタ２２の偏光選択性半透過／反射誘電体多層膜２２ａを透過して第２光検出器２７上に受光される。そして、第２光検出器２７でＤＶＤ２の情報記録層を再生した時にトラッキングエラー信号，フォーカスエラー信号，メインデータ信号を検出している。
【００４８】
更に、この実施例１では、前述したように、ＢＤ用レーザ光源１１及びＤＶＤレーザ光源２１と、高ＮＡ対物レンズ１６及び低ＮＡ対物レンズ２６との間に、青色レーザビームＬ１及び赤色レーザビームＬ２の各光量をモニタするためのフロントモニタ用光検出器３１が両レーザビームＬ１，Ｌ２に対して共用して設置されて、このフロントモニタ用光検出器３１がＡＰＣ（Ａｕｔｏ  Ｐｏｗｅｒ  Ｃｏｎｔｒｏｌ）手段３０の一部を構成していると共に、フロントモニタ用光検出器３１のレーザビーム入射側にレーザビーム光量調整手段４０Ａが設置されている。
【００４９】
上記したＡＰＣ手段３０は、ＢＤ用レーザ光源１１から射出された青色レーザビームＬ１及びＤＶＤ用レーザ光源２１から射出された赤色レーザビームＬ２の各光量をモニタするために各レーザビームＬ１，Ｌ２の入射側に封止用透明光学部材３１ａを密着して取り付けたフロントモニタ用光検出器３１と、フロントモニタ用光検出器３１の出力側にワイヤを介して電気的に接続されたアンプ３２と、コントローラ３３と、レーザ駆動回路３４とで構成されている。
【００５０】
そして、ＡＰＣ手段３０では、ＢＤ１又はＤＶＤ２に応じてフロントモニタ用光検出器３１に選択的に入射された青色レーザビームＬ１又は赤色レーザビームＬ２を光電変換したモニタ出力電圧がアンプ３２のマイナス（−）端子に入力され、且つ、予め設定した基準電圧がアンプ３２のプラス（＋）端子に入力されており、コントローラ３３はモニタ出力電圧と基準電圧とを比較し、比較結果に基づいてレーザ駆動回路３４でＢＤ用レーザ光源１１及びＤＶＤレーザ光源２１の各射出パワーが最適となるように制御している。
【００５１】
尚、この実施例１では、フロントモニタ用光検出器３１と、固定抵抗Ｒを接続したアンプ３２とを別体に設けたが両者３１，３２を一体に組み合わせて構成したものを使用しても良い。
【００５２】
また、上記したレーザビーム光量調整手段４０Ａは、実施例１の要部を構成しているものであり、前述したようにフロントモニタ用光検出器３１のレーザビーム入射側に密着して取り付けた封止用透明光学部材３１ａと、フロントモニタ用光検出器３１の封止用透明光学部材３１ａの前方に固定設置した複数の光学部材４１〜４３とからなり、フロントモニタ用光検出器３１のレーザビーム入射側に設置した複数の光学部材３１ａ，４１〜４３によりフロントモニタ用光検出器３１に入射した青色レーザビームＬ１と赤色レーザビームＬ２との光量差を光学的に調整している。
【００５３】
この際、フロントモニタ用光検出器３１の封止用透明光学部材３１ａの前方に固定設置した複数の光学部材は、第１半透過／反射ミラー４１と、全反射ミラー４２と、第２半透過／反射ミラー４３とから構成されている。
【００５４】
そして、図２に拡大して示した如く、レーザビーム光量調整手段４０Ａでは、ＢＤ用レーザ光源１１から射出されたＰ偏光光の青色レーザビームＬ１の一部を第１半透過／反射ミラー４１で透過させた後に全反射ミラー４２で全反射せて、全反射されたＰ偏光光の青色レーザビームＬ１をフロントモニタ用光検出器３１の封止用透明光学部材３１ａに入射させる際に、この封止用透明光学部材３１ａの入射面３１ａ１に立てた法線に対して青色レーザビームＬ１の第１入射角αが例えば略４５°で入射するように全反射ミラー４２が設置されていると共に、ＤＶＤ用レーザ光源２１から射出されたＳ偏光光の赤色レーザビームＬ２の一部を第２半透過／反射ミラー４３で透過させた後にフロントモニタ用光検出器３１の封止用透明光学部材３１ａに入射させる際に、この封止用透明光学部材３１ａの入射面３１ａ１に立てた法線に対して赤色レーザビームＬ２の第２入射角βが例えば略７０°で入射するように第２半透過／反射ミラー４３が設置されている。
【００５５】
上記の関係を言い換えると、第１半透過／反射ミラー４１と、全反射ミラー４２と、第２半透過／反射ミラー４３とを図示のように配置した際に、フロントモニタ用光検出器３１の封止用透明光学部材３１ａの入射面３１ａ１に対してＰ偏光光の青色レーザビームＬ１の第１入射角αが略４５°、Ｓ偏光光の赤色レーザビームＬ２の第２入射角βが略７０°で入射されるようにフロントモニタ用光検出器３１の取り付け角が調整されている。
【００５６】
尚、この実施例１では、フロントモニタ用光検出器３１の封止用透明光学部材３１ａの入射面３１ａ１に対して青色レーザビームＬ１の第１入射角αを略４５°、赤色レーザビームＬ２の第２入射角βを略７０°にそれぞれ設定したが、これに限られるものではなく、青色レーザビームＬ１と赤色レーザビームＬ２との光量差と、各レーザビームＬ１，Ｌ２の各波長による感度差に合わせて第１，第２入射角α，βをそれぞれ設定すれば良い。
【００５７】
この際、フロントモニタ用光検出器３１の封止用透明光学部材３１ａに用いられる屈折率が１．５程度の光学材料に、Ｐ偏光光の青色レーザビームＬ１とＳ偏光光の赤色レーザビームＬ２とが入射する時に、各レーザビームＬ１，Ｌ２の入射角と光透過率との関係は図３のようになっている。
【００５８】
即ち、図３に示した如く、Ｘ印を青色レーザビームＬ１に対する特性、○印を赤色レーザビームＬ２に対する特性とすると、フロントモニタ用光検出器３１の封止用透明光学部材３１ａに入射するＳ偏光光の赤色レーザビームＬ２の第２入射角βをＰ偏光光の青色レーザビームＬ１の第１入射角αよりも大きく設定したときに、Ｐ偏光光の青色レーザビームＬ１がフロントモニタ用光検出器３１の封止用透明光学部材３１ａに略４５°で入射した場合にその光透過率は９９％であるので、Ｐ偏光光の青色レーザビームＬ１が略そのままの光量でフロントモニタ用光検出器３１に入射される。
【００５９】
一方、Ｓ偏光光の赤色レーザビームＬ２がフロントモニタ用光検出器３１の封止用透明光学部材３１ａに略７０°で入射した場合にその光透過率は７０％であるので、Ｓ偏光光の赤色レーザビームＬ２の光量が減衰されてフロントモニタ用光検出器３１に入射される。
【００６０】
即ち、フロントモニタ用光検出器３１の取り付け角度を調整することにより、Ｐ偏光光の青色レーザビームＬ１の光透過率と、Ｓ偏光光の赤色レーザビームＬ２の光透過率とをある程度自在に変更することができる。
【００６１】
実際には、Ｐ偏光光の青色レーザビームＬ１の光路とＳ偏光光の赤色レーザビームＬ２の光路とを、想定されるフロントモニタ感度調整用のアンプ３２（図１）のゲイン差程度の光量差になるように設計しておき、光ピックアップ装置ＰＵ１の組み立て時に、フロントモニタ用光検出器３１の取り付け角度を、Ｐ偏光光の青色レーザビームＬ１とＳ偏光光の赤色レーザビームＬ２とに対してアンプ３２（図１）の略ゲイン差に見合う光量差になるように取り付けている。
【００６２】
従って、上記の特性が得られるレーザビーム光量調整手段４０Ａ内の複数の光学部材３１ａ，４１〜４３により、フロントモニタ用光検出器３１に入射したＰ偏光光の青色レーザビームＬ１と、Ｓ偏光光の赤色レーザビームＬ２との光量差が両レーザビームＬ１，Ｌ２に対するアンプ３２の略ゲイン差になるように光学的に調整しているために、フロントモニタ感度調整用のアンプ３２（図１）のゲイン調整に帰還抵抗として固定抵抗Ｒを用いることができるので、ゲイン調整回路を簡略化することができると共に、アンプ３２を安定に動作させることができる。
【００６３】
また、フロントモニタ用光検出器３１のレーザビーム入射側に複数の光学部材３１ａ，４１〜４３を用いてレーザビーム光量調整手段４０Ａが設置されているので、青色レーザビームＬ１及び赤色レーザビームＬ２の各光量をフロントモニタ用光検出器３１で安定にモニタできる他に、フロントモニタ用光検出器３１に入射する青色レーザビームＬ１，赤色レーザビームＬ２の光量差を確実に調整でき、更に、ＢＤ用レーザ光源１１とＤＶＤ用レーザ光源２１とを切り替えるための制御が不要になるために、実施例１の光ピックアップ装置ＰＵ１（図１）の制御端子数を低減することができる。
【００６４】
尚、この実施例１では、青色レーザビームＬ１をＰ偏光光、赤色レーザビームＬ２をＳ偏光光とすることで、フロントモニタ用光検出器３１に入射する各レーザビームＬ１，Ｌ２の各入射角の異なりに伴う各光透過率の差異が顕著に現れるが、これに限ることなく、青色レーザビームＬ１をＳ偏光光、赤色レーザビームＬ２をＰ偏光光とすることも可能であり、更に、両レーザビームＬ１，Ｌ２を同一の偏光光に設定することも可能である。
【００６５】
この際、青色レーザビームＬ１をＳ偏光光、赤色レーザビームＬ２をＰ偏光光とした場合には、フロントモニタ用光検出器３１の封止用透明光学部材３１ａに多層膜を成膜して、Ｐ偏光光の赤色レーザビームＬ２の光透過率（光量）をＳ偏光光の青色レーザビームＬ１の光透過率（光量）よりも低く設定すれば良いものである。
【００６６】
また、青色レーザビームＬ１及び赤色レーザビームＬ２を同一の偏光光（Ｐ偏光光又はＳ偏光光）とした場合には、図３から明らかなように、入射角の異なりだけでも光透過率（光量）の差異が現れるので、この特性を用いれば良いものである。
【００６７】
尚、実施例１において、フロントモニタ用光検出器３１のレーザビーム入射側に図３に示した特性を有する封止用透明光学部材３１ａを取り付けずに、前記した複数の光学部材４１〜４３だけを用いてフロントモニタ用光検出器３１に入射する赤色レーザビームＬ２の第２入射角βを青色レーザビームＬ１の第１入射角αよりも大きくすることにより、青色レーザビームＬ１，赤色レーザビームＬ２の光量差を調整することも可能であるので、この場合にレーザビーム光量調整手段４０Ａは複数の光学部材４１〜４３だけを用いた構成になる。
【実施例２】
【００６８】
図４は本発明に係る実施例２の光ピックアップ装置の全体構成を摸式的に示した図であり、（ａ）は左側面図，（ｂ）は平面図，（ｃ）はＢＤ用の光学系の正面図，（ｄ）はＤＶＤ用の光学系の正面図である。また、図５は図４に示したフロントモニタ用光検出器に対するレーザビーム光量調整手段を拡大して示した図である。更に、図６は本発明に係る実施例２の光ピックアップ装置において、ガラス板に入射する青色レーザビーム，赤色レーザビームの入射角と光透過率の関係を示した図である。
【００６９】
図４に示した本発明に係る実施例２の光ピックアップ装置ＰＵ２は、先に説明した実施例１の光ピックアップ装置ＰＵ１に対してレーザビーム光量調整手段４０Ｂの構成が一部異なるだけであり、ここでは説明の便宜上、先に示した構成部材に対しては同一の符号を付して図示し、且つ、先に示した構成部材は必要に応じて適宜説明し、実施例１に対して異なる構成部材に新たな符号を付して異なる点を中心にして説明する。
【００７０】
図４（ａ）〜（ｄ）に示した如く、本発明に係る実施例２の光ピックアップ装置ＰＵ２でも、実施例１と同様に、第１レーザ光源（ＢＤ用レーザ光源）１１から短波長の第１レーザビーム（青色レーザビーム）Ｌ１を選択的に射出させて、この第１レーザビームＬ１を高い開口数（ＮＡ）を有する第１対物レンズ（高ＮＡ対物レンズ）１６により基板厚さが薄い第１光記録媒体（ＢＤ）１上にスポット状に集光させ、一方、第２レーザ光源（ＤＶＤ用レーザ光源）２１から第１レーザビームＬ１よりも長波長で且つ第１レーザビームよりも射出パワーが大きい第２レーザビーム（赤色レーザビーム）Ｌ２を選択的に射出させて、この第２レーザビームＬ２を第１対物レンズ１６によりも低い開口数（ＮＡ）を有する第２対物レンズ（低ＮＡ対物レンズ）２６により第１光記録媒体１よりも基板厚さが厚い第２光記録媒体（ＤＶＤ）２上にスポット状に集光させるにあたって、第１，第２レーザ光源１１，２１と第１，第２対物レンズ１６，２６との間に第１，第２レーザビームＬ１，Ｌ２の各光量をモニタするフロントモニタ用光検出器３１を第１，第２レーザビームＬ１，Ｌ２に対して共用して設置している点は実施例１と同様であるが、フロントモニタ用光検出器３１に入射する第１，第２レーザビームＬ１，Ｌ２の光量差を光学的に調整するために実施例１とは一部構成が異なるレーザビーム光量調整手段４０Ｂをフロントモニタ用光検出器３１のレーザビーム入射側に複数の光学部材４１〜４４を用いて設置したことを特徴としている。
【００７１】
上記したレーザビーム光量調整手段４０Ｂは、実施例２の要部を構成しているものであり、前述したようにフロントモニタ用光検出器３１のレーザビーム入射側に固定設置した複数の光学部材４１〜４４とからなり、複数の光学部材４１〜４４によりフロントモニタ用光検出器３１に入射した青色レーザビームＬ１と赤色レーザビームＬ２との光量差を光学的に調整している。
【００７２】
この際、フロントモニタ用光検出器３１のレーザビーム入射側に設置した複数の光学部材は、第１半透過／反射ミラー４１と、全反射ミラー４２と、第２半透過／反射ミラー４３と、ガラス板４４とから構成されている。
【００７３】
従って、この実施例２では、先に説明した実施例１に対してガラス板４４を追加しているので、フロントモニタ用光検出器３１のレーザビーム入射側に封止用透明光学部材３１ａ（図１，図２）を取り付けていない例を説明するものであるが、実施例１と同様にフロントモニタ用光検出器３１のレーザビーム入射側に封止用透明光学部材３１ａ（図１，図２）を取り付けて何等の支障もない。
【００７４】
そして、図５に拡大して示した如く、レーザビーム光量調整手段４０Ｂでは、ＢＤ用レーザ光源１１から射出されたＰ偏光光の青色レーザビームＬ１の一部を第１半透過／反射ミラー４１で透過させた後に全反射ミラー４２で全反射させて、全反射されたＰ偏光光の青色レーザビームＬ１をガラス板４４を通過させてフロントモニタ用光検出器３１の入射面３１ｂに入射させる際に、ガラス板４４の入射面４４ａに立てた法線に対して青色レーザビームＬ１の第１入射角γが例えば略４５°で入射するようにガラス板４４が設置されていると共に、ＤＶＤ用レーザ光源２１から射出されたＳ偏光光の赤色レーザビームＬ２の一部を第２半透過／反射ミラー４３で透過させた後にガラス板４４を通過させてフロントモニタ用光検出器３１の入射面３１ｂに入射させる際に、ガラス板４４の入射面４４ａに立てた法線に対して赤色レーザビームＬ２の第２入射角δが青色レーザビームＬ１の第１入射角γよりも大きく例えば略７０°で入射するようにガラス板４４が設置されている。
【００７５】
上記の関係を言い換えると、第１半透過／反射ミラー４１と、全反射ミラー４２と、第２半透過／反射ミラー４３と、ガラス板４４とを図示のように配置した際に、ガラス板４４の入射面４４ａに対してＰ偏光光の青色レーザビームＬ１の第１入射角γが略４５°、Ｓ偏光光の赤色レーザビームＬ２の第２入射角δが略７０°で入射されるようにガラス板４４の取り付け角が調整されている。
【００７６】
尚、この実施例２では、ガラス板４４の入射面４４ａに対して青色レーザビームＬ１の第１入射角γを略４５°、赤色レーザビームＬ２の第２入射角δを略７０°にそれぞれ設定したが、これに限られるものではなく、青色レーザビームＬ１と赤色レーザビームＬ２との光量差と、各レーザビームＬ１，Ｌ２の各波長による感度差に合わせて第１，第２入射角γ，δをそれぞれ設定すれば良い。
【００７７】
この際、Ｐ偏光光の青色レーザビームＬ１と、Ｓ偏光光の赤色レーザビームＬ２とがガラス板４４に入射する時に、各レーザビームＬ１，Ｌ２の入射角と光透過率との関係は図６のようになっているが、ガラス板４４を用いた場合には、空気との界面がガラス板４４の入射面４４ａと射出面４４ｂの２面になるので、青色レーザビームＬ１及び赤色レーザビームＬ２がガラス板４４の界面を２回通る場合には１回通る場合よりも光透過率が劣化する傾向があり、ガラス板４４を用いた場合に青色レーザビームＬ１の入射角及び赤色レーザビームＬ２の入射角に対する光透過率の変化も図６に示すように大きくなる。従って、Ｐ偏光光の青色レーザビームＬ１とＳ偏光光の赤色レーザビームＬ２との光量差をより大きく設定し易くなる。
【００７８】
即ち、図６に示した如く、Ｘ印を青色レーザビームＬ１に対する特性、○印を赤色レーザビームＬ２に対する特性とすると、ガラス板４４の入射面４４ａに入射するＳ偏光光の赤色レーザビームＬ２の第２入射角δをＰ偏光光の青色レーザビームＬ１の第１入射角γよりも大きく設定したときに、Ｐ偏光光の青色レーザビームＬ１がガラス板４４の入射面４４ａに略４５°で入射した場合にその光透過率は９８％であるので、Ｐ偏光光の青色レーザビームＬ１が略そのままの光量でガラス板４４の入射面４４ａに入射される。
【００７９】
一方、Ｓ偏光光の赤色レーザビームＬ２がガラス板４４の入射面４４ａに略７０°で入射した場合にその光透過率は４０％であるので、Ｓ偏光光の赤色レーザビームＬ２の光量が減衰されてフロントモニタ用光検出器３１の入射面３１ｂに入射されるが、この際に、２倍以上の光量差を調整することができることがわかる。
【００８０】
即ち、ガラス板４４の取り付け角度を調整することにより、Ｐ偏光光の青色レーザビームＬ１の光透過率と、Ｓ偏光光の赤色レーザビームＬ２の光透過率とをある程度自在に変更することができる。
【００８１】
実際には、Ｐ偏光光の青色レーザビームＬ１の光路とＳ偏光光の赤色レーザビームＬ２の光路とを、想定されるフロントモニタ感度調整用のアンプ３２（図４）のゲイン差程度の光量差になるように設計しておき、光ピックアップ装置ＰＵ２の組み立て時に、ガラス板４４の取り付け角度を、Ｐ偏光光の青色レーザビームＬ１とＳ偏光光の赤色レーザビームＬ２とに対してアンプ３２（図４）の略ゲイン差に見合う光量差になるように取り付けている。
【００８２】
従って、上記の特性が得られるレーザビーム光量調整手段４０Ｂ内の複数の光学部材４１〜４４により、ガラス板４４に入射したＰ偏光光の青色レーザビームＬ１と、Ｓ偏光光の赤色レーザビームＬ２との光量差が両レーザビームＬ１，Ｌ２に対するアンプ３２（図４）のゲイン差程度になるように光学的に調整しているために、フロントモニタ感度調整用のアンプ３２のゲイン調整に帰還抵抗として固定抵抗Ｒを用いることができるので、ゲイン調整回路を簡略化することができると共に、アンプ３２を安定に動作させることができる。
【００８３】
また、フロントモニタ用光検出器３１のレーザビーム入射側に複数の光学部材４１〜４４を用いてレーザビーム光量調整手段４０Ｂが設置されているので、青色レーザビームＬ１及び赤色レーザビームＬ２の各光量をフロントモニタ用光検出器３１で安定にモニタできる他に、フロントモニタ用光検出器３１に入射する青色レーザビームＬ１，赤色レーザビームＬ２の光量差を確実に調整でき、更に、ＢＤ用レーザ光源１１とＤＶＤ用レーザ光源２１とを切り替えるための制御が不要になるために、実施例２の光ピックアップ装置ＰＵ２（図４）の制御端子数を低減することができる。
【００８４】
また、ガラス板４４をさらに増やしてスペースを挟んだ２枚一組みとすれば、同じ入射角でもより大きな光量差を付けることもできるし、入射角を小さく設定しなければならないような場合でも必要な光量差を確保することができる。
【００８５】
この際、ガラス板４４は、特にコーティングをする必要はなく、光量モニタに用いるだけなので高い表面精度も必要としないし、材料も安価なもので良いので、ほとんどコストアップにはならない。
【００８６】
尚、この実施例２でも、実施例１と同様に、青色レーザビームＬ１をＰ偏光光、赤色レーザビームＬ２をＳ偏光光とすることで、ガラス板４４に入射する各レーザビームＬ１，Ｌ２の各入射角の異なりに伴う各光透過率の差異が顕著に現れるが、これに限ることなく、青色レーザビームＬ１をＳ偏光光、赤色レーザビームＬ２をＰ偏光光とすることも可能であり、更に、両レーザビームＬ１，Ｌ２を同一の偏光光に設定することも可能である。
【００８７】
以上、詳述した本発明に係る実施例１，２の光ピックアップ装置ＰＵ１，ＰＵ２では、光記録媒体としてＢＤ１，ＤＶＤ２を適用した例を説明したが、本発明は、上述の実施形態にのみ限定されるものではなく、ここでの図示を省略するものの、ＤＶＤ２よりも更に低密度な第３光記録媒体（以下、ＣＤと記す）として例えばレーザビーム入射面から情報記録面までの基板厚さが１．２ｍｍ程度に形成されたＣＤ（Ｃｏｍｐａｃｔ  Ｄｉｓｃ）を適用する場合には、ＤＶＤ用レーザ光源２１の近傍に赤色レーザビームＬ２よりも射出パワーが大きく且つ赤色レーザビームＬ２よりも長波長で波長が７８０ｎｍ前後の赤外レーザビームを射出させる第３レーザ光源（ＣＤ用レーザ光源）を配置しても良く、また、ＤＶＤ用レーザ光源２１とＣＤ用レーザ光源とを一体のパッケージに収めた２波長レーザ光源を配置して３波長対応のピックアップ装置とすることも可能であり、更に、第1，第２光記録媒体としてＤＶＤとＣＤとを適用して２波長対応のピックアップ装置とすることも可能であり、本発明の要旨を逸脱しない範囲内において種々変更を加え得ることは可能である。
【符号の説明】
【００８８】
ＰＵ１…実施例１の光ピックアップ装置、
ＰＵ２…実施例２の光ピックアップ装置、
１…第１光記録媒体（ＢＤ）、２…第２光記録媒体（ＤＶＤ）、
１１…第１レーザ光源（ＢＤ用レーザ光源）、
１２…第１偏光ビームスプリッタ、１２ａ…偏光選択性半透過／反射誘電体多層膜、
１３…第１コリメータレンズ、１４…立ち上げミラー、１５…１／４波長板、
１６…第１対物レンズ（高ＮＡ対物レンズ）、１７…第１光検出器、
２１…第２レーザ光源（ＤＶＤ用レーザ光源）、
２２…第２偏光ビームスプリッタ、２２ａ…偏光選択性半透過／反射誘電体多層膜、
２３…第２コリメータレンズ、２５…１／４波長板、
２６…第２対物レンズ（低ＮＡ対物レンズ）、２７…第１光検出器、
３０…ＡＰＣ（Ａｕｔｏ  Ｐｏｗｅｒ  Ｃｏｎｔｒｏｌ）手段、
３１…フロントモニタ用光検出器、
３１ａ…封止用透明光学部材、３１ａ１…入射面、３１ｂ…入射面、
３２…アンプ、３３…コントローラ、３４…レーザ駆動回路、
４０Ａ…実施例１のレーザビーム光量調整手段、
４０Ｂ…実施例２のレーザビーム光量調整手段、
４１…第１半透過／反射ミラー、４２…全反射ミラー、
４３…第２半透過／反射ミラー、４４…ガラス板、４４ａ…入射面、４４ｂ…射出面、
Ｌ１…第１レーザビーム（青色レーザビーム）、
Ｌ２…第２レーザビーム（赤色レーザビーム）、Ｒ…固定抵抗、
α…フロントモニタ用光検出器３１に入射する第１レーザビームの第１入射角、
β…フロントモニタ用光検出器３１に入射する第２レーザビームの第２入射角、
γ…ガラス板４４に入射する第１レーザビームの第１入射角、
δ…ガラス板４４に入射する第２レーザビームの第２入射角。
【図１】
2010182381.tif 000003
【図２】
2010182381.tif 000004
【図３】
2010182381.tif 000005
【図４】
2010182381.tif 000006
【図５】
2010182381.tif 000007
【図６】
2010182381.tif 000008